(57)【要約】【課題】  より面白い動作をする駆動装置を提供すること。【解決手段】  駆動手段１００と、駆動手段に従動する第１歯車２１０と、第１歯車と噛合した複数の第２歯車２２０と、第１歯車に対して平行に且つ回転軸が同じとなるように設けられた第３歯車２３０と、第３歯車と噛合した複数の第４歯車２４０と、複数の第２歯車にそれぞれ従動する複数の第１装飾体３１０と、複数の第４歯車にそれぞれ従動する複数の第２装飾体３２０と、第３歯車を第１歯車に係止する係止手段４００とを備え、係止手段により第３歯車が第１歯車に係止されているときは、第１装飾体及び第２装飾体が駆動し、第３歯車の係止が解除されているときは、第１装飾体が駆動し且つ第２装飾体が駆動しないようにした構成の駆動装置である。【選択図】図１
2008298645.tif 000002
【特許請求の範囲】
【請求項１】
駆動手段と、前記駆動手段に従動する第１歯車と、前記第１歯車と噛合した複数の第２歯車と、前記第１歯車に対して平行に且つ回転軸が同じとなるように設けられた第３歯車と、前記第３歯車と噛合した複数の第４歯車と、前記複数の第２歯車にそれぞれ従動する複数の第１装飾体と、前記複数の第４歯車にそれぞれ従動する複数の第２装飾体と、前記第３歯車を前記第１歯車に係止する係止手段とを備え、
前記係止手段により前記第３歯車が前記第１歯車に係止されているときは、前記第１装飾体及び前記第２装飾体が駆動し、前記第３歯車の係止が解除されているときは、前記第１装飾体が駆動し且つ前記第２装飾体が駆動しないようにしたことを特徴とする駆動装置。
【請求項２】
前記第２歯車及び前記第４歯車は、互いに平行に且つ回転軸が同じとなるように設け、
前記第２歯車には第１軸部を設けるとともに、前記第４歯車には第２軸部を設け、
前記第１軸部及び前記第２軸部は、それらの一方を他方に挿通するものであり、
前記第１軸部の先端に前記第１装飾体を装着し、前記第２軸部の先端に前記第２装飾体を装着したことを特徴とする請求項１記載の駆動装置。
【請求項３】
前記係止手段は、前記第１歯車及び前記第３歯車の一方に設けられたレバーと、前記第１歯車及び前記第３歯車の他方に設けられたレバー嵌合部と、前記レバーを操作するレバー操作手段とを備え、
前記レバー操作手段の操作に伴って、前記レバーが前記レバー嵌合部に嵌合すると、前記第３歯車が前記第１歯車に係止され、前記レバーが前記レバー嵌合部から離脱すると、前記第３歯車の係止が解除されることを特徴とする請求項１又は２記載の駆動装置。
【発明の詳細な説明】
【技術分野】
【０００１】
本発明は、装飾体を駆動する駆動装置に関する。
【背景技術】
【０００２】
壁掛け時計や置き時計等は、装飾性に優れたものが好まれる傾向にあり、所定の時間になると報知音を発生するとともに装飾体を駆動するように構成されたものが知られている。特許文献１及び２には、時計の指標部を装飾体として駆動する装置が開示されている。
【特許文献１】特願平６−３５８１８号公報
【特許文献２】特開２００２−１８９０８６号公報
【発明の開示】
【発明が解決しようとする課題】
【０００３】
さて近年、この種の時計は、より奇抜で斬新なものが求められており、駆動装置についても、かつてない動きを得るべく、更なる構造的工夫の検討が重要とされている。本発明は、かかる事情に鑑みてなされたものであり、その目的は、より面白い動作をする駆動装置を提供することである。
【課題を解決するための手段】
【０００４】
本願第１請求項に記載した発明は、駆動手段と、前記駆動手段に従動する第１歯車と、前記第１歯車と噛合した複数の第２歯車と、前記第１歯車に対して平行に且つ回転軸が同じとなるように設けられた第３歯車と、前記第３歯車と噛合した複数の第４歯車と、前記複数の第２歯車にそれぞれ従動する複数の第１装飾体と、前記複数の第４歯車にそれぞれ従動する複数の第２装飾体と、前記第３歯車を前記第１歯車に係止する係止手段とを備え、前記係止手段により前記第３歯車が前記第１歯車に係止されているときは、前記第１装飾体及び前記第２装飾体が駆動し、前記第３歯車の係止が解除されているときは、前記第１装飾体が駆動し且つ前記第２装飾体が駆動しないようにした構成の駆動装置である。
【０００５】
本願第２請求項に記載した発明は、請求項１において、前記第２歯車及び前記第４歯車は、互いに平行に且つ回転軸が同じとなるように設け、前記第２歯車には第１軸部を設けるとともに、前記第４歯車には第２軸部を設け、前記第１軸部及び前記第２軸部は、それらの一方を他方に挿通するものであり、前記第１軸部の先端に前記第１装飾体を装着し、前記第２軸部の先端に前記第２装飾体を装着した構成の駆動装置である。
【０００６】
本願第３請求項に記載した発明は、請求項１又は２において、前記係止手段は、前記第１歯車及び前記第３歯車の一方に設けられたレバーと、前記第１歯車及び前記第３歯車の他方に設けられたレバー嵌合部と、前記レバーを操作するレバー操作手段とを備え、前記レバー操作手段の操作に伴って、前記レバーが前記レバー嵌合部に嵌合すると、前記第３歯車が前記第１歯車に係止され、前記レバーが前記レバー嵌合部から離脱すると、前記第３歯車の係止が解除される構成の駆動装置である。
【発明の効果】
【０００７】
本発明によれば、より面白い動作をする駆動装置を得ることができる。
【発明を実施するための最良の形態】
【０００８】
以下に、本発明の実施例を図面に基づいて説明する。図１乃至図８に示す駆動装置１は、時計の装飾用に設計された装置である。本願発明者は、時計の文字板において、指標部を装飾体として駆動するとともに、その指標部の裏側から他の装飾体が出没するという斬新な動きを提案し、本例の装置によってこれを実現した。指標部と他の装飾体を共通の駆動手段にて駆動するという優れたものとなっている。
【０００９】
本例の駆動装置１は、モータ１１０及び減速ギア１２０からなる駆動手段１００と、駆動手段１００に従動する第１歯車２１０と、第１歯車２１０と噛合した複数の第２歯車２２０（図例では６個）と、第１歯車２１０に対して平行に且つ回転軸が同じとなるように設けられた第３歯車２３０と、第３歯車２３０と噛合した複数の第４歯車２４０（第２歯車２２０と同じく６個）と、複数の第２歯車２２０にそれぞれ従動する複数の第１装飾体３１０と、複数の第４歯車２４０にそれぞれ従動する複数の第２装飾体３２０と、第３歯車２３０を第１歯車に係止する係止手段４００とを備えている。第２装飾体３２０は、時計の指標部となっており、第１装飾体３１０は、第２装飾体３２０の裏側から出没する構成となっている。第１装飾体３１０及び第２装飾体３２０は、共通の駆動手段１００にて駆動する。
【００１０】
第１歯車２１０、第２歯車２２０、第３歯車２３０、第４歯車２４０、及び駆動手段１００は、基板体５００及び基板体５００の正面に装着するケース体６００の間に設けられている。基板体５００の中央には、円筒リブ５１０が設けられており、第１歯車２１０及び第３歯車２３０は、この円筒リブ５１０に対して回転可能に装着されている。ケース体６００は、時計の文字板となる部材である。その背面中央には、指針を駆動するムーブメントが設けられる。正面の適宜部位には、飾り６１０が設けられている
【００１１】
各第２歯車２２０及び各第４歯車２４０は、互いに平行に且つ回転軸が同じとなるように設けられている。また、第２歯車２２０には第１軸部７１０を設けるとともに、第４歯車２４０には第２軸部７２０を設けている。第１軸部７１０の先端には第１装飾体３１０を装着し、第２軸部７２０の先端には第２装飾体３２０を装着している。第１軸部７１０及び第２軸部７２０は、それらの一方を他方に挿通するものとなっている。具体的には、第１軸部７１０が第１装飾体３１０と一体に成形されており、第１軸部７１０の基端をケース体６００に挿通し、第２歯車２２０の中心に固定して組み付けられている。また、第２軸部７２０が第２装飾体３２０と一体に成形されており、第２軸部７２０の基端を第１軸部７１０に挿通し、第４歯車２４０の中心に固定して組み付けられている。ケース体６００の適宜部位には、所要の通孔が設けられている。各部材を組み付ける際には、所定のジグが用いられる。
【００１２】
第２歯車２２０及び第１装飾体３１０は、第１軸部７１０を中心に回転し、第４歯車２４０及び第２装飾体３２０は、第２軸部７２０を中心に回転する。すなわち、第１歯車２１０が回転すると、第２歯車が回転し、第１装飾体３１０が第２歯車と同期回転する。第３歯車２３０が回転すると、第４歯車が回転し、第２装飾体３２０が第４歯車と同期回転する。尚、本例では第２軸部７２０を第１軸部７１０に挿通したが、第１歯車２１０と第３歯車２３０の前後関係が異なる場合は、第１軸部７１０を第２軸部７２０に挿通する。
【００１３】
係止手段４００は、第３歯車２３０を第１歯車２１０に係止することにより、第３歯車２３０を第１歯車２１０と同期回転させるものである。係止手段４００により第３歯車２３０が第１歯車２１０に係止されているときは、第１装飾体３１０及び第２装飾体３２０が駆動する。第３歯車２３０の係止が解除されているときは、第１装飾体３１０が駆動し且つ第２装飾体３２０が駆動しない。
【００１４】
本例の係止手段４００は、第１歯車２１０及び第３歯車２３０の一方に設けられたレバー４１０と、それらの他方に設けられたレバー嵌合部４２０と、レバー４１０を操作するレバー操作手段４３０とを備えたものである。レバー操作手段４３０の操作に伴って、レバー４１０がレバー嵌合部４２０に嵌合すると、第３歯車２３０が第１歯車２１０に係止される。レバー４１０がレバー嵌合部４２０から離脱すると、第３歯車２３０の係止が解除される。
【００１５】
図例したレバー４１０は、雄ねじ部品４１１にて第３歯車２３０に枢支されたものである。第１歯車２１０には、第１ボス４２１及びリブ４２２かならるレバー嵌合部４２０が設けられている。レバー４１０の要所には、第１ボス４２１を嵌め込む凹部４１２と、リブ４２２に当接する第２ボス４１３が設けられている。
【００１６】
また、図例したレバー操作手段４３０は、基板体５００に設けられたガイド溝である。レバー４１０には、このレバー操作手段４３０に係止される被操作用ボス４１４が設けられている。尚、第３歯車２３０の要所には、被操作用ボス４１４を貫通する長孔２３１が設けられている。
【００１７】
この係止手段４００による第３歯車２３０の係止は、第１歯車２１０と第３歯車２３０の位相関係に依存する。係止手段４００の動作は、次の通りである。
【００１８】
まず、レバー４１０とレバー嵌合部４２０が離れた状態においては、第１歯車２１０のみが回転する（図４参照）。第１歯車２１０が回転してレバー嵌合部４２０がレバー４１０に接近していくと（図５参照）、第１ボス４２１が凹部４１２に嵌め込まれて、レバー４１０が第１ボス４２１に押された状態となる。
【００１９】
更に第１歯車２１０が回転すると、レバー４１０が第１ボス４２１に押されることにより第３歯車２３０が回転し、被操作用ボス４１４がレバー操作手段４３０たるガイド溝を移動しつつレバー４１０が第３歯車２３０に対して回転する。第３歯車２３０に対するレバー４１０の回転量は、レバー操作手段４３０によって規制されている。このようにレバー４１０が回転すると、第２ボス４１３がリブ４２２の要所に当接し、レバー４１０が第１ボス４２１及びリブ４２２に挟まれてレバー４１０とレバー嵌合部４２０とが嵌合し、第３歯車２３０が第１歯車２１０に係止された状態となる（図６参照）。
【００２０】
そして更に第１歯車２１０が回転すると、第３歯車２３０が第１歯車２１０と同期回転する（図７参照）。ここで、レバー操作手段４３０たるガイド溝における被操作用ボス４１４の移動域は、第３歯車２３０に対してレバー４１０が回転しないように設定されている。つまり、ガイド溝の形状は、その端部を所定の形状に変形した円弧状となっている。
【００２１】
このように第１歯車２１０及び第３歯車２３０が所定量回転すると（図８参照）、今度はモータ１１０の回転方向を反転して、第１歯車２１０をこれまでとは逆の方向に回転させる。係止手段４００の動作は、反転する。すなわち、第３歯車２３０が第１歯車２１０とともにこれまでとは逆の方向に同期回転し（図７参照）、第１歯車２１０及び第３歯車２３０が所定量回転すると、第３歯車２３０が第１歯車２１０に係止された状態（図６参照）から、レバー４１０が第３歯車２３０に対して先程とは逆の方向に回転し、第３歯車２３０の係止が解除される（図５参照）。そして、第１歯車２１０のみが逆の方向に回転する状態となり、初期の状態に復帰する（図４参照）。
【００２２】
第１装飾体３１０及び第２装飾体３２０の回転量は、各歯車の回転量及び回転比と、係止手段４００の動作とを踏まえることにより、任意に設定することができる。特に限定はしないが、本例の場合、第１装飾体３１０が９０°回転すると、第２装飾体３２０が第１装飾体３２０とともに回転し、そこから第１装飾体３２０及び第２装飾体３２０が２７０°回転したところでモータ１１０を反転する構成となっている。
【００２３】
以上説明した本例の駆動装置によると、装飾体の動作をより面白く設定することができ、時計のパフォーマンスを一層向上することができる。薄型であるため、デザイン的にも優れている。尚、本例における各部の構成は、特許請求の範囲に記載した技術的範囲において適宜に設計変更が可能であり、図例説明したものに限定されないことは勿論である。例えば、本例の係止手段は、第１歯車及び第３歯車の回転に応じて機械的に動作するものであるが、或は、ソレノイド等を用いて電気的に制御するように構成することも可能である。
【産業上の利用可能性】
【００２４】
本発明の駆動装置は、置き時計や壁掛け時計を装飾する装置として、極めて好適に利用することが可能である。
【図面の簡単な説明】
【００２５】
【図１】本発明の実施例に係り、駆動装置を示す分解斜視図である。
【図２】本発明の実施例に係り、第３歯車及び第４歯車を示す斜視図である。
【図３】本発明の実施例に係り、第１歯車の背面を示す斜視図である。
【図４】本発明の実施例に係り、係止手段の動作説明図である。
【図５】本発明の実施例に係り、係止手段の動作説明図である。
【図６】本発明の実施例に係り、係止手段の動作説明図である。
【図７】本発明の実施例に係り、係止手段の動作説明図である。
【図８】本発明の実施例に係り、係止手段の動作説明図である。
【符号の説明】
【００２６】
１    駆動装置
１００    駆動手段
１１０    モータ
１２０    減速ギア
２１０    第１歯車
２２０    第２歯車
２３０    第３歯車
２３１    長孔
２４０    第４歯車
３１０    第１装飾体
３２０    第２装飾体
４００    係止手段
４１０    レバー
４１１    雄ねじ部品
４１２    凹部
４１３    第２ボス
４１４    被操作用ボス
４２０    レバー嵌合部
４２１    第１ボス
４２２    リブ
４３０    レバー操作手段
５００    基板体
５１０    円筒リブ
６００    ケース体
６１０    飾り
７１０    第１軸部
７２０    第２軸部
【図１】
2008298645.tif 000003
【図２】
2008298645.tif 000004
【図３】
2008298645.tif 000005
【図４】
2008298645.tif 000006
【図５】
2008298645.tif 000007
【図６】
2008298645.tif 000008
【図７】
2008298645.tif 000009
【図８】
2008298645.tif 000010